(57)【要約】【課題】ＭＡＣフレームに適合した、簡易な保守フレームを生成するメディア通信モジュールを得て、また拡張や変更に容易に対処できるようにした、小さな装置を得る。【解決手段】光アクセスラインを介してメディア・アクセス・コントロール・フレームを送受信し、かつ監視部からの、または監視部への保守情報を送受信系に挿入／抽出する構成において、保守情報は、監視部で生成されて標準のメディア・アクセス・コントロール・フレーム７９の所定の位置に組み込まれて通信モジュールに送信されるようにし、通信モジュールにおいて、所定の位置から保守情報部分を抽出してそのまま光アクセスラインに保守フレームとして送信するとともに、端末側から光アクセスラインを介して送信された保守フレームを抽出して標準のメディア・アクセス・コントロール・フレーム７９の所定の位置に組み込んで監視部へ送信する保守フレーム挿入／抽出部７１を持つ。【選択図】        図２
2004312526.tif 000002
【特許請求の範囲】
【請求項１】
光アクセスラインを介してメディア・アクセス・コントロール・フレームを送受信し、かつ監視部からの、または該監視部への保守情報を上記送受信系に挿入／抽出する構成において、
上記保守情報は、上記監視部で生成されて標準のメディア・アクセス・コントロール・フレームの所定の位置に組み込まれて通信モジュールに送信されるようにし、
該通信モジュールにおいて、上記所定の位置から保守情報部分を抽出してそのまま光アクセスラインに保守フレームとして送信するとともに、端末側から光アクセスラインを介して送信された保守フレームを抽出して標準のメディア・アクセス・コントロール・フレームの所定の位置に組み込んで監視部へ送信する保守フレーム挿入／抽出部を持つことを特徴とするメディア通信モジュール。
【請求項２】
メディア通信モジュールは、保守フレームにポート番号を記載し、該ポート番号に基づいて対応する保守フレーム挿入／抽出部に保守フレームを送信し、または各保守フレーム挿入／抽出部が抽出した保守フレームを合成して監視部へ送信するメディア・アクセス・コントロール部を備えたことを特徴とする請求項１記載のメディア通信モジュール。
【請求項３】
光アクセスラインを介してメディア・アクセス・コントロール・フレームを送受信し、かつ監視部からの、または該監視部への保守情報を上記送受信系に挿入／抽出するメディア・コンバータとして、
上記保守情報は、上記監視部で生成されて標準のメディア・アクセス・コントロール・フレームの所定の位置に組み込まれて通信モジュールに送信されるようにし、
上記光アクセスラインとのインタフェースとなる光トランシーバと、
上記所定の位置から保守情報部分を抽出してそのまま光アクセスラインに保守フレームとして送信するとともに、端末側から光アクセスラインを介して送信された保守フレームを抽出して標準のメディア・アクセス・コントロール・フレームの所定の位置に組み込んで監視部へ送信する保守フレーム挿入／抽出部、を持つメディア通信モジュール、とを備えたことを特徴とするメディア・コンバータ装置。
【請求項４】
メディア通信モジュールは、保守フレームにポート番号を記載し、該ポート番号に基づいて対応する保守フレーム挿入／抽出部に保守フレームを送信し、または各保守フレーム挿入／抽出部が抽出した保守フレームを合成して監視部へ送信するメディア・アクセス・コントロール部を備えたことを特徴とする請求項３記載のメディア・コンバータ装置。
【発明の詳細な説明】
【０００１】
【発明の属する技術分野】
この発明は、電子技術における標準化において規定されるメディア・アクセス・コントロール・フレームを伝送するメディアコンバータ（ＭＣ）、及びそれに用いられるメディア通信モジュールに係るもので、特に保守機能を有するメディア通信モジュールに関するものである。
【０００２】
【従来の技術】
図５は、標準的なＭＣのネットワーク接続を表したシステム構成図であり、図６は図５中に示される、従来の通信モジュール２１ｊの詳細構成を示す図で、図７は同じく図５中に示される、従来の端末側ＭＣ３ｊの詳細構成を示す図である。また図８は、図６中の保守フレーム終端回路の詳細を示す図である。
この従来の親局側の通信モジュール２１ｊは、内部に保守フレーム終端機構６３を持ち、この保守フレーム終端機構６３は図８に示すように、ＭＩＩ（Ｍｅｄｉａ  Ｉｎｄｅｐｅｎｄｅｎｔ  Ｉｎｔｅｒｆａｃｅ）受信信号７５は図６のＥｔｈｅｒｎｅｔ（登録商標）のＰＨＹ（ｐｈｙｓｉｃａｌ  ＩＦ  物理接続）回路６４から入力され、ＭＩＩ受信出力信号７６となって図６のＭＡＣスイッチ回路６２に与えられる。またＭＡＣスイッチ回路６２からのＭＩＩ送信入力信号７７が入力し、ＭＩＩ送信出力７８となってＥｔｈｅｒ  ＰＨＹ回路６４に与えられる。更にバス９８は図６の監視インタフェース６６に接続される。
【０００３】
次に動作について説明する。保守フレーム終端回路６３が保守フレームを受信するのであるが、その場合のＭＩＩ受信入力信号７５は、図３ａ．のような標準のＥｔｈｅｒフレームと同図ｃ．のような保守フレームが混在したものとなっている。バッファ＆保守フレーム検出回路９１はＭＩＩ受信入力信号７５を取り込み、その中に保守フレームが検出された場合は保守フレームのデータを保守フレームデコード回路９２へ送る。このときＭＩＩ受信出力信号７６には保守フレームに代えてアイドルデータを出力する。受信切替スイッチ９４はこの切替えを制御する。保守フレーム検出時以外、すなわちＥｔｈｅｒフレームおよびアイドル信号受信時は、ＭＩＩ受信入力信号７５がバッファ＆保守フレーム検出回路９１を経由した後そのままＭＩＩ受信出力信号７６に転送される。
一方、保守フレームデコード回路９２は、入力された保守フレームについてエラーチェックをしたのち各ビットが表わす対向装置の情報を読み取り、受信用レジスタ群９３へ書き込む。受信用レジスタ群９３の内容はバス９８を通じて制御モジュールから読み取られる。
【０００４】
保守フレームを送信する場合は最初に、制御モジュールから出力されたコマンドのデータはバス９８を経由して送信用レジスタ群９５に書き込まれる。保守フレーム生成回路９６はこのデータを元に自装置情報やエラーチェックコードを付加して規定のフォーマットをもつ保守フレームを生成する。生成された保守フレームは送信切換スイッチ９７で切換えられてＭＩＩ送信入力信号７７に挿入され、ＭＩＩ送信出力信号７８としてＥｔｈｅｒｎｅｔ（登録商標）  ＰＨＹ回路に送られる。送信切替スイッチ９７はこの上書きのタイミングを制御する。
こうして、標準化委員会ＴＴＣの仕様書で規定された保守フレームを生成して、ＭＡＣ（Ｍｅｄｉａ  Ａｃｃｅｓｓ  Ｃｏｎｔｒｏｌ、メディア・アクセス・コントロール）スイッチ６２からの下りデータに上書きして送信する。またはＭＡＣスイッチ６２への上りデータから保守情報を抽出してデコードを行なう。この際、保守フレームはＭＡＣ標準フレームとは異なる９６ビット長の特殊フレームであり、保守フレーム終端機構６３には複雑で大規模かつ高速なハードウェアが必要である。
【０００５】
制御モジュール２２ｊは、固有の監視バスインタフェース６７からこの保守情報を監視して、監視制御ライン１４へ出力する。
一方、端末側ＭＣ３ｊにも対応した保守フレーム終端機構３３が必要である。これも同様にＭＡＣ標準フレームとは異なる特殊フレームを処理する機構であり、複雑な構成となる。
【０００６】
【発明が解決しようとする課題】
従来のメディア・コンバータは上記のように構成されており、通信モジュール毎に複雑で大規模かつ高速な回路が必要であるという課題がある。
更に保守フレーム仕様の拡張や変更が生じた場合、上記のすべての通信モジュールでの対応が要求されるという課題もある。
【０００７】
この発明は上記の課題を解決するためになされたもので、ＭＡＣフレームに適合した、簡易な保守フレームを生成するメディア通信モジュールを得て、また拡張や変更に容易に対処できるようにした、小さな装置を得る。
【０００８】
【課題を解決するための手段】
この発明に係るメディア通信モジュールは、光アクセスラインを介してメディア・アクセス・コントロール・フレームを送受信し、かつ監視部からの、または監視部への保守情報を上記送受信系に挿入／抽出する構成において、
保守情報は、監視部で生成されて標準のメディア・アクセス・コントロール・フレームの所定の位置に組み込まれて通信モジュールに送信されるようにし、
通信モジュールにおいて、所定の位置から保守情報部分を抽出してそのまま光アクセスラインに保守フレームとして送信するとともに、端末側から光アクセスラインを介して送信された保守フレームを抽出して標準のメディア・アクセス・コントロール・フレームの所定の位置に組み込んで監視部へ送信する保守フレーム挿入／抽出部を持つようにした。
またメディア・コンバータ装置として、このメディア通信モジュールを内部に備える。
【０００９】
【発明の実施の形態】
実施の形態１．
先ずこうした技術が用いられるＭＣネットワークの説明をする。標準的なＭＣのネットワーク接続を表す図５において、センタ側ＭＣ２は、アップリンク１１でレイヤ２のスイッチあるいはルータなどの上位装置１と、更に光アクセスライン１２で端末側ＭＣ３と、また更に監視制御ライン１４で監視端末５と接続されている。あるいは端末側ＭＣ３はユーザライン１３でパーソナルコンピュータ等の端末４と接続されている。これらの接続は、図では単線で表示されているが、実際には複数本ある。更にセンタ側ＭＣは、複数の通信モジュール２１と、制御モジュール２２で構成されている。
また図１は本実施の形態における通信モジュール２１の詳細を示す図であり、図では４本の光アクセスラインを持ち、制御モジュール２２とは監視バス７４で接続されている。従来の構成と対比すれば明らかであるが、新規要素の保守フレーム挿入／抽出回路７１の機能と使用フレームが新しい。その他に光アクセスライン１２とのインタフェースとして光トランシーバ６５があり、更にその後にＥｔｈｅｒ  ＰＨＹ回路６４と相互接続され、これらと保守フレーム挿入／抽出回路７１とが接続されている。保守フレーム挿入／抽出回路７１はＭＡＣスイッチ６２と接続され、さらにそれを経由してＥｔｈｅｒ  ＰＨＹ回路６１と接続され、Ｅｔｈｅｒ  ＰＨＹ回路６１はアップリンク１１を介して上位装置１に接続されている。また保守フレーム挿入／抽出回路７１はＥｔｈｅｒ  ＰＨＹ回路７２を介して制御モジュール２２に接続されている。ここで集積モジュール６０は、図１に実線で囲って示すように、上記ＭＡＣスイッチ、保守フレーム挿入／抽出回路、インタフェースとなる各Ｅｔｈｅｒ  ＰＨＹ回路の、５つの要素を１つの集積回路に集積している。
【００１０】
図２は、保守フレーム挿入／抽出回路７１の詳細構成を示す図であり、図において、ＭＩＩ受信入力信号７５は図１のＥｔｈｅｒｎｅｔ（登録商標）  ＰＨＹ回路６４の出力であり、ＭＩＩ送信出力信号７８は図１のＥｔｈｅｒｎｅｔ（登録商標）  ＰＨＹ回路６４へ向けた出力であり、ＭＩＩ受信出力信号７６は図１のＥｔｈｅｒｎｅｔ（登録商標）  ＭＡＣスイッチ回路６２へ向けた出力であり、ＭＩＩ送信入力信号７７は図１のＥｔｈｅｒｎｅｔ（登録商標）  ＭＡＣスイッチ回路６２の出力である。またＭＩＩバス７９は図１のＥｔｈｅｒｎｅｔ（登録商標）  ＰＨＹ回路７２と接続される経路である。図は通信モジュールが４ポートをもつ例を表わしており、図中のポート対応処理回路８０は４回路分あるものとする。
【００１１】
上記構成のシステムの動作について説明する。
センタ側ＭＣ２は通信モジュール２１の部分においてアップリンク１１から光アクセスライン１２へ、あるいはその逆方向へのＭＡＣフレーム転送を行う。この転送時に光／電気のメディア変換や速度変換も必要に応じて行う。また、通信モジュール２１はアップリンクと複数の光アクセスラインとを対応づけ経路を選択してＭＡＣフレーム転送するスイッチの役割も果たす。さらに、通信モジュール２１は上記の電信電話技術委員会ＴＴＣで規定された保守フレームの終端機能を有しており、保守フレームの生成および光アクセスラインへの挿入、光アクセスラインから受信した信号からの保守フレーム抽出を行う。
制御モジュール２２は、上記保守フレームを使って得られた端末側ＭＣの保守情報を通信モジュール２１から受け取り、要求への応答もしくは自律的な通知として監視端末５へその保守情報を伝える。なお、ＭＣの保守情報としては上記以外にもセンタ側ＭＣの内部状態なども存在するがここでは省略する。
一方、端末側ＭＣは光アクセスライン１２からユーザライン１３へ、あるいはその逆方向へのＭＡＣフレーム転送を行う。この転送時に光／電気のメディア変換や速度変換も必要に応じて行う。また、上記規定の保守フレームの終端機能を有しており、保守フレームの生成および光アクセスラインへの挿入、光アクセスラインから受信した信号からの保守フレーム抽出とそのデコード処理を行う。
【００１２】
次に通信モジュール２１の動作を説明する。
Ｅｔｈｅｒ  ＰＨＹ回路６１は、１００Ｂａｓｅ−ＴＸなどのアップリンク１１となるシリアル信号とＭＡＣスイッチ回路６２のインタフェースであるＭＩＩ信号との間でシリアル／パラレル変換および符号化／複合化処理を行う。Ｅｔｈｅｒｎｅｔ（登録商標）  ＭＡＣスイッチ６２はＭＡＣフレームのエラー検出やタイミング制御、そして転送速度変換や入出力ポート（図では５個）間での転送経路制御（スイッチング）を行う。新しい機能を持つ保守フレーム挿入／抽出回路７１は、ＴＴＣ仕様書ＴＳ−１０００の５．３節で規定された保守フレームをデータ信号に上書きする形で下り方向（センタ側から端末側への方向）のＭＩＩ信号に挿入するとともに、上り方向のＭＩＩ信号についてはそこから保守フレームを抽出する。光アクセスライン１２には、従来と同様に標準フォーマットのＭＡＣフレームのデータと、それとは非同期に、定められたフォーマットを持つ保守フレームに乗せられた保守情報が流れている。そして保守フレーム挿入／抽出回路７１が挿入する保守フレームは制御モジュール２２から送信される図３に示される監視バスフレームのデータ部に含まれている。また、抽出した保守フレームは監視バスフレームのデータ部に含めて制御モジュール２２へ送信する。Ｅｔｈｅｒｎｅｔ（登録商標）  ＰＨＹ回路６４は、ＭＩＩ信号と光トランシーバ６５のインタフェースとなるシリアル信号との間でパラレル／シリアル変換および符号化／複合化処理を行う。光トランシーバ６５は電気信号と光信号の変換を行う。
【００１３】
保守フレーム挿入／抽出回路７１が保守フレームを受信する場合は以下のような動作となる。
ＭＩＩ受信入力信号７５は、図３ａ．のような標準のＥｔｈｅｒフレームと同図ｃのような保守フレームが混在したものとなっている。バッファ＆保守フレーム検出回路８１はＭＩＩ受信入力信号７５を取り込み、その中に保守フレームが検出された場合は、保守フレームを切り出し元のフォーマットのまま保守フレーム結合回路８２へ送る。このときＭＩＩ受信出力信号７６には保守フレームに代えてアイドルデータを出力する。受信切替スイッチ８７はこの切替えを制御する。保守フレーム検出時以外、すなわちＥｔｈｅｒフレームおよびアイドル信号受信時は、ＭＩＩ受信入力信号７５がバッファ＆保守フレーム検出回路８１を経由した後そのままＭＩＩ受信出力信号７６に転送される。
一方、保守フレーム結合回路８２は、４ポート分のバッファ＆保守フレーム検出回路から入力された各保守フレームをシリアルに並べて結合したデータを生成してＭＡＣ回路８３へ送る。このデータは図３ｂ．のようなフォーマットであり、各保守フレームに対して対応するポート番号を識別するためのヘッダが付加されている。含まれる保守フレームの数は１つ以上であり、近いタイミングで４ポート分の回路で保守フレームを受信したり１ポートであっても連続して保守フレームを受信した場合などは複数の保守フレームがこのデータに含まれる。ＭＡＣ回路８３は入力された連結保守フレームデータをデータ部とした図３ａ．の形式の標準のＥｔｈｅｒフレームを生成しＭＩＩバス７９に出力する。
【００１４】
保守フレームを送信する場合は以下のような動作となる。
制御モジュールからは図３ａ．に示すようにデータ部に保守フレームを包含するＥｔｈｅｒフレームが出力され、これがＭＩＩバス７９を経由してＭＡＣ回路８３で受信される。ＭＡＣ回路８３はこのフレームについてアドレス照合およびエラーチェックを行ったのちデータ部を抽出して保守フレーム振分け回路８４に送る。ここで送られるデータは図３ｂ．のようなフォーマットをもつ。保守フレーム振分け回路８４はこのデータから個別の保守フレームを切り出し、対応するポートのバッファ８５へ送る。このときのデータは図３ｃ．のような保守フレームのフォーマットをもっている。バッファ８５に入力された保守フレームはＭＩＩ送信入力信号７７に上書きされ、ＭＩＩ送信出力信号７８としてＥｔｈｅｒｎｅｔ（登録商標）  ＰＨＹ回路に送られる。送信切替スイッチ８６はこの上書きのタイミングを制御する。
ここでＭＡＣ回路８３は通常のＥｔｈｅｒｎｅｔ（登録商標）  ＭＡＣ回路と同じようにＥｔｈｅｒフレームのヘッダ処理、エラーチェック、エラーチェックコードの付加、フレーム入出力のタイミング制御などを行うものとする。
【００１５】
通信モジュール２１と制御モジュール２２の間の通信は監視バス７４を介して行われる。監視バス７４は１００Ｂａｓｅ−ＴＸや１０００Ｂａｓｅ−Ｔなどの標準Ｅｔｈｅｒｎｅｔ（登録商標）であり、上記の監視バスフレームは標準のＭＡＣフレームである。Ｅｔｈｅｒｎｅｔ（登録商標）  ＰＨＹ回路７２および７３は保守フレーム挿入／抽出回路７１や監視制御プロセッサ６８のインタフェースであるＭＩＩ信号と監視バス７４との間でパラレル／シリアル変換および符号化／複合化処理を行う。監視制御プロセッサ６８は監視バス７４を介して通信モジュールから受信した監視バスフレームから保守フレームを切り出し、そのデコードを行って保守情報を監視端末に通知したり、監視端末からの保守情報取得要求をコマンド化して対応する保守フレームを生成し、それを監視バスフレームに組み込んで監視バス７４経由で通信モジュール２１に送信したりする処理を行う。監視制御ライン１４は監視端末を接続するための専用ラインであり、例えば１０Ｂａｓｅ−ＴやＲＳ２３２Ｃなどのシリアル線である。監視制御インタフェース回路６９は監視制御ラインの信号レベルやタイミングなどを生成する回路である。
【００１６】
なお、図２ａに示す標準のＭＡＣフレームを使った双方向通信を行うために、図１における保守フレーム挿入／抽出回路７１と監視制御プロセッサ６８はそれぞれ個別のＭＡＣアドレスをもっている。ひとつのセンタ側ＭＣの中に複数の通信モジュールがある場合はそれぞれの通信モジュールが異なるＭＡＣアドレスをもつ。図３ａ中のＤＡは宛先アドレス、ＳＡは送信元アドレスであり、それぞれ上記の保守フレーム挿入／抽出回路のＭＡＣアドレスまたは監視制御プロセッサのＭＡＣアドレスが書き込まれる。Ｄａｔａ＋Ｐａｄｄｉｎｇの部分は最小４６ｏｃｔｅｔ  最大１５００ｏｃｔｅｔの長さをもち、ここにはｂに示すように１つ以上の保守フレームデータが対応するポート番号とセットで書き込まれる。
【００１７】
図３ｂの例では、先頭から第１番めのポート番号、第１番めの保守フレームデータ，第２番めのポート番号、第２番目の保守フレームデータと続き、これらの合計が４６ｏｃｔｅｔに満たない場合のみＰａｄｄｉｎｇデータが付加される。
ここで言う第１番め、第２番めというのは処理する順番を示しており、例えば第１番めと第２番めのポート番号が同一でも構わないし、ひとつの監視バスフレームに第１番めのポート番号とその保守フレームデータのみしか書かれていなくても構わない。ポート番号とは図１のようにひとつの通信モジュールが複数の光アクセスラインをもつ場合（図では４ライン）に、各ラインを識別するために与える番号で例えば４ラインもつ場合はポート番号０，１，２，３などと割り振る。ポート番号に続いて書き込まれる保守フレームデータは、該当するポート（光アクセスライン）に対する保守フレームそのものであり、図３のｃに示すＴＳ−１０００の保守フレームのフォーマットをもつ。このデータが前記保守フレーム挿入／抽出回路７１を通じて対応する光アクセスラインに挿入されたり光アクセスラインから抽出されたりする。ｂに示すフォーマットにおいて、各ポート番号は１ビット以上、各保守フレームデータは９６ビット以上もつものとする。
【００１８】
以上のように、本実施の形態におけるセンタ側ＭＣでは、制御モジュールと保守情報の通信を行うインタフェースを標準のＥｔｈｅｒｎｅｔ（登録商標）とし、保守フレームをそのままＭＡＣフレームのデータに組み込む方式としたので汎用性が増し、従来複数のＩＣによって構成されていた通信モジュール上のＥｔｈｅｒｎｅｔ（登録商標）  ＰＨＹ回路、ＭＡＣスイッチ回路および保守フレーム処理回路を１パッケージに集積して、回路構成を単純化し、信頼性も向上する。
さらに、保守フレームの生成やデコード処理は制御モジュール上に集約させてソフトウェア主体で行う構成としたので、従来  通信モジュール上のハードウェア主体で処理していた場合に比較して保守フレームの仕様変更にも早くかつ柔軟に対応できる。
【００１９】
図１に示す構成は、センタ側ＭＣの通信モジュールにおいてＥｔｈｅｒｎｅｔ（登録商標）
ＰＨＹ回路、ＭＡＣスイッチおよび保守フレーム処理回路を１パッケージのモジュールに集積する構成としたものであるが、次に同様な集積を端末側ＭＣにて行う形態を説明する。
図４は、このような場合の、端末側ＭＣ３の内部構成例を示す図であり、図において端末側ＭＣ３は光トランシーバ３１、Ｅｔｈｅｒｎｅｔ（登録商標）のＰＨＹ回路３２、保守フレーム挿入／抽出回路３６、Ｅｔｈｅｒｎｅｔ（登録商標）ＭＡＣブリッジ回路３４、Ｅｔｈｅｒｎｅｔ（登録商標）のＰＨＹ回路３５、３７および３８、監視制御プロセッサ３９、監視バス４０で構成される。また、ＭＣ用ＩＣ３０は、Ｅｔｈｅｒｎｅｔ（登録商標）のＰＨＹ回路３２，保守フレーム挿入／抽出回路３６、Ｅｔｈｅｒｎｅｔ（登録商標）  ＭＡＣブリッジ回路３４およびＥｔｈｅｒｎｅｔ（登録商標）のＰＨＹ回路３５を１パッケージに集積したものである。
【００２０】
この構成の動作は図１の構成の動作から明らかであるが、以下、簡単に説明する。光トランシーバ３１は光信号と電気信号の変換を行い、ＥｔｈｅｒＰＨＹ回路３２はシリアル信号とＭＩＩ信号との間でシリアル／パラレル変換および符号化／複合化処理を行う。保守フレーム挿入／抽出回路３６は、ＴＴＣ仕様書で規定された保守フレームをデータ信号に上書きする形で上り方向（端末側からセンタ側への方向）のＭＩＩ信号に挿入するとともに、下り方向のＭＩＩ信号についてはそこから保守フレームを抽出する。挿入する保守フレームは監視制御プロセッサ３９から送信される監視バスフレームに含まれている。また、抽出した保守フレームは監視バスフレームに含めて監視制御プロセッサ３９へ送信する。これは図３に示される構成であるが、例えば保守フレームデータ（１）のみのこともある。またポート番号は不要であり、従って書き込まれなくてもよい。Ｅｔｈｅｒｎｅｔ（登録商標）ＭＡＣブリッジ回路３４はＭＡＣフレームのエラー検出やタイミング制御および転送速度変換などを行う。Ｅｔｈｅｒｎｅｔ（登録商標）
ＰＨＹ回路３５は、ＭＩＩ信号とユーザラインとなるシリアル信号との間でパラレル／シリアル変換および符号化／複合化処理を行う。
【００２１】
保守フレーム挿入／抽出回路３６と監視制御プロセッサ３９の間の通信は監視バス４０を介して行われる。監視バス４０は１００Ｂａｓｅ−ＴＸや１０００Ｂａｓｅ−Ｔなどの標準Ｅｔｈｅｒｎｅｔ（登録商標）であり、上記の監視バスフレームは標準のＭＡＣフレームである。Ｅｔｈｅｒｎｅｔ（登録商標）  ＰＨＹ回路３７、３８は保守フレーム挿入／抽出回路３６や監視制御プロセッサ３９とのインタフェースであり、ＭＩＩ信号と監視バス４０との間でパラレル／シリアル変換および符号化／複合化処理を行う。監視制御プロセッサ３９は監視バス４０を介して保守フレーム挿入／抽出回路３６から受信した監視バスフレームから保守フレームを切り出し、そのデコードを行って制御情報を読み取り、その応答として装置状態情報などを含む保守フレームを生成し、それを監視バスフレームに組み込んで監視バス４０経由で保守フレーム挿入／抽出回路３６に送信したりする処理を行う。図示はされていないが保守フレームに含んで送出されるべき装置状態情報は監視制御プロセッサ３９に集約されている。
【００２２】
図４における保守フレーム挿入／抽出回路３６と監視制御プロセッサ３９はそれぞれ個別のＭＡＣアドレスをもっている。図３ａ中のＤＡは宛先アドレス、ＳＡは送信元アドレスであり、それぞれ保守フレーム挿入／抽出回路のＭＡＣアドレスまたは監視制御プロセッサのＭＡＣアドレスが書き込まれる。Ｄａｔａ＋Ｐａｄｄｉｎｇの部分は最小４６ｏｃｔｅｔ  最大１５００ｏｃｔｅｔの長さをもち、ここにはｂに示すように１つ以上の保守フレームデータが書き込まれる。
【００２３】
上記の実施の形態では、１パッケージ化したＭＣ用ＩＣについて、監視制御プロセッサなどと保守情報の通信を行うインタフェースを標準のＥｔｈｅｒｎｅｔ（登録商標）としていたが、これを他の標準的なバス、例えばＵＳＢ（Ｕｎｉｖｅｒｓａｌ  Ｓｅｒｉａｌ  Ｂｕｓ）やＩＥＥＥ１３９４，ＰＣＩ，ＲａｐｉｄＩＯなどとしてもよい。
【００２４】
【発明の効果】
以上のようにこの発明によれば、保守フレームを監視部で一括生成・デコードし、通信モジュールと監視部間での保守情報の送受は標準のメディア・アクセス・コントロール・フレームの所定の位置に保守フレームを既定のフォーマットのまま組み込む構成としたので、回路構成が簡単になり、信頼性が向上し、かつ汎用性が高くなる効果がある。
【図面の簡単な説明】
【図１】この発明の実施の形態１における通信モジュールと制御モジュールの構成を示す図である。
【図２】実施の形態１における保守フレーム挿入／抽出回路の詳細構成を示す図である。
【図３】実施の形態１における監視バスのフレームフォーマットを示す図である。
【図４】実施の形態１における端末側メディア・コンバータの構成を示す図である。
【図５】メディア・コンバータを使用するネットワークをしめす構成図である。
【図６】従来の通信モジュールと制御モジュールの構成を示す図である。
【図７】従来の端末側メディア・コンバータの構成を示す図である。
【図８】従来の図６と図７で用いられる保守フレーム終端回路の詳細構成を示す図である。
【符号の説明】
１  上位装置、２  センタ側メディアコンバータ、３  端末側メディアコンバータ、４  端末、５  監視端末、１１  アップリンク、１２  光アクセスライン、１３  ユーザライン、１４  監視制御ライン、２１  通信モジュール、２２  制御モジュール、３１  光トランシーバ、３２  Ｅｔｈｅｒ（ｎｅｔの）ＰＨＹ回路、３３  保守フレーム終端回路、３４  （Ｅｔｈｅｒｎｅｔ（登録商標））ＭＡＣブリッジ回路、３５  Ｅｔｈｅｒ（ｎｅｔの）ＰＨＹ回路、３６  保守フレーム挿入／抽出回路、３７  Ｅｔｈｅｒ（ｎｅｔの）ＰＨＹ回路、３８  Ｅｔｈｅｒ（ｎｅｔの）ＰＨＹ回路、３９  監視制御プロセッサ、４０  監視バス、６１  Ｅｔｈｅｒ（ｎｅｔの）ＰＨＹ回路、６２  （Ｅｔｈｅｒｎｅｔ（登録商標））ＭＡＣスイッチ回路、６３  保守フレーム終端回路、６４  Ｅｔｈｅｒ（ｎｅｔの）ＰＨＹ回路、６５  光トランシーバ、６６  監視バスインタフェース回路、６７  監視バスインタフェース回路、６８  監視制御プロセッサ、６９  監視制御インタフェース回路、７０  専用監視バス、７１  保守フレーム挿入／抽出回路、７２  Ｅｔｈｅｒ（ｎｅｔの）ＰＨＹ回路、７３  Ｅｔｈｅｒ（ｎｅｔの）ＰＨＹ回路、７４  監視バス、７５  ＭＩＩ受信入力信号、７６  ＭＩＩ受信出力信号、７７  ＭＩＩ送信入力信号、７８  ＭＩＩ送信出力信号、７９  ＭＩＩバス、８０  ポート対応処理回路、８１  バッファ＆保守フレーム検出回路、８２  保守フレーム結合回路、８３  ＭＡＣ回路、８４  保守フレーム振分け回路、８５  バッファ、８６  送信切替スイッチ、８７  受信切替スイッチ、９１  バッファ＆保守フレーム検出回路、９２  保守フレームデコード回路、９３  受信用レジスタ群、９４  受信切替スイッチ、９５  送信用レジスタ群、９６  保守フレーム生成回路、９７  送信切替スイッチ。
【図１】
2004312526.tif 000003
【図２】
2004312526.tif 000004
【図３】
2004312526.tif 000005
【図４】
2004312526.tif 000006
【図５】
2004312526.tif 000007
【図６】
2004312526.tif 000008
【図７】
2004312526.tif 000009
【図８】
2004312526.tif 000010